(57)【特許請求の範囲】
【請求項１】
結合バインダに貫通する補強鉄筋（７）に垂直方向に指向する流し込みアンカー（２）の端部側を固定するための迅速結合バインダであって、
長さ（Ｌ）のワイヤ材料から曲げ出して少なくとも部分的にばね負荷された金属によりワイヤハンガ（１）として構成し、
一方の側では流し込みアンカー（２）を収容するよう構成した第１転向曲げ部（３）を設け、この第１転向曲げ部（３）の角度二等分平面（４）に対して、約９０゜〜１８０゜の角度（α）をなして鏡対称にした脚部（５、５′）を第１転向曲げ部（３）から延在させ、
他方の側では流し込みアンカー（２）に対してほぼ直交して補強鉄筋（７）を収容するため、第１転向曲げ部（３）に対して直交する方向に、約９０゜〜１８０゜の角度（β）にわたり曲げ出した第２転向曲げ部（６，６′）を設け、
各脚部（５，５′）の端部側を、前記第１転向曲げ部（３）に対して角度をなすようクリップフック（８，８′）を曲げ出し、このクリップフック（８，８′）を流し込みアンカー（２）の端部側の半径方向に拡開する拡大部（１０）の半径方向外側の端面（９）に形状ロックのばね負荷を加えるよう構成した該迅速結合バインダにおいて、
前記脚部（５，５′）には、前記第２転向曲げ部（６，６′）と前記クリップフック（８，８′）との間に、９０゜〜２７０゜にわたる曲げ出し角度（γ）の第３転向曲げ部（１１，１１′）を設け
前記脚部（５，５′）には、さらに、第３転向曲げ部（１１，１１′）とクリップフック（８，８′）との間に、第２転向曲げ部（６，６′）に平行な第４転向曲げ部（１２，１２′）を９０゜〜１８０゜の角度（δ）にわたり曲げ出した
ことを特徴とする迅速結合バインダ。
【請求項２】
前記第３転向曲げ部（１１，１１′）を第１転向曲げ部（３）に平行に、角度二等分平面（４）に接近する方向に曲げ出した請求項１記載の迅速結合バインダ。
【発明の詳細な説明】
【０００１】
【発明の属する技術分野】
本発明は、結合バインダに貫通する補強鉄筋を垂直方向に指向する流し込みアンカーの半径方向に拡開する拡大部の端部側に固定するための迅速結合バインダに関するものである。
【０００２】
【従来の技術】
流し込みアンカーは、中間層結合体として、好適には、古いコンクリートに形成した袋状の孔に充填した硬化反応モルタルで固定する固定部分、及び後に新しいコンクリートに埋設される埋設部分を有する。牽引力を支持するため、流し込みアンカーの端部側に半径方向に拡開する拡大部を設け、例えば、流し込みアンカーとして構成した管状材料の円錐形状の拡大部として構成する。
【０００３】
米国特許第３，２６３，２６６号には、片手で組付けるための迅速結合バインダとして、２個の互いに直交する丈の低いばね負荷ワイヤハンガを使用し、このワイヤハンガの中間部分に１５０゜の第１転向曲げ部を設け、この第１転向曲げ部の各脚部にはこの第１転向曲げ部に直交する１８０゜にわたる第２転向曲げ部を設ける。第２転向曲げ部は、丈を低くするため、形状ロックを生じて掛合するフックとして作用し、このフックは丈の低い輪郭の高さにおいて脚部から９０゜の角度をなして曲げ出したものとし、僅かに曲げた第１転向曲げ部と一緒にクリップ作用を生ずるクリップフックをなし、丈低輪郭の幅に掛合させる。
【０００４】
米国特許第４，３８８，７９１号には、２個の互いに直交する方向に指向する補強鉄筋に片手で組付けるための迅速結合バインダとして、るばね負荷ワイヤハンガを使用し、中間部分に１８０゜にわたる第１転向曲げ部を設け、互いに平行に延在する脚部のそれぞれに１２０゜にわたり曲げ出した互いに直交する第１転向曲げ部を設け、これら第２転向曲げ部により補強鉄筋を挟み付けることができるようにし、他の補強鉄筋に直交して形状ロックの力を生じて固定するようにしている。従って、この場合端部側の固定のみが可能である。
【０００５】
【発明が解決しようとする課題】
本発明の目的は、貫通する補強鉄筋を流し込みアンカーの端部側で着脱自在に固定するための迅速結合バインダを得るにある。更に、片手で組付けることができる迅速結合バインダを得るにある。
【０００６】
【課題を解決するための手段】
この目的を達成するため、本発明は、結合バインダに貫通する補強鉄筋に垂直方向に指向する流し込みアンカーの端部側を固定するための迅速結合バインダであって、ワイヤ材料から曲げ出して少なくとも部分的にばね負荷された金属によりワイヤハンガとして構成し、一方の側では流し込みアンカーを収容するよう構成した第１転向曲げ部を設け、この第１転向曲げ部の角度二等分平面に対して、約９０゜〜１８０゜の角度をなして鏡対称にした脚部を第１転向曲げ部から延在させ、他方の側では流し込みアンカーに対してほぼ直交して補強鉄筋を収容するため、第１転向曲げ部に対して直交する方向に、約９０゜〜３６０゜の角度にわたり曲げ出した第２転向曲げ部を設けた迅速結合バインダにおいて、各脚部の段部側を、前記第１転向曲げ部に対して角度をなすようクリップフックを曲げ出し、このクリップフックを流し込みアンカーの端部側の半径方向に拡開する拡大部の半径方向外側の端面に形状ロックのばね負荷を加えるよう構成したことを特徴とする。
【０００７】
迅速結合バインダとして構成するワイヤハンガは、少なくとも部分的にばね負荷を生ずる金属の２〜８ｍｍの直径のワイヤ材料から曲げて形成し、一方の側では流し込みアンカーを収容するため、ワイヤ材料の長さの中間で流し込みアンカーの半径方向に拡開していない直径より大きいか又は等しい半径の第１転向曲げ部を設け、この第１転向曲げ部の角度二等分平面に対して、約９０゜〜１８０゜の角度をなして鏡対称にした脚部を第１転向曲げ部から延在させ、他方の側では流し込みアンカーに対してほぼ直交して補強鉄筋を収容するため、第１転向曲げ部に対して直交する方向に、約９０゜〜３６０゜の角度にわたり、補強鉄筋の直径よりも大きいか又は等しい半径にして曲げ出した第２転向曲げ部を設け、各脚部の段部側を、前記第１転向曲げ部に対して３０゜〜９０゜の範囲の角度をなすようクリップフックを曲げ出し、このクリップフックを流し込みアンカーの端部側の半径方向に拡開する拡大部の半径方向外側の端面に形状ロックのばね負荷を加えるよう構成する。
【０００８】
流し込みアンカーは、半径方向に拡開していない部分をワイヤハンガの第１転向曲げ部によって半径方向片側で包囲されて掛合する。流し込みアンカーに対して第１転向曲げ部で流し込みアンカーを固定するワイヤハンガの脚部を変形させ、流し込みアンカーの端部側の半径方向に拡開する拡大部に着脱自在に脚部のクリップフックによりばね負荷を加える。流し込みアンカーの半径方向に拡開するの拡大部を挟み付ける（クリップする）各脚部及び片側で半径方向に拡開しない部分で流し込みアンカーを包囲する第１転向曲げ部により、ワイヤハンガは流し込みアンカーる端部側の３点を形状ロックの力で確実に固定する。流し込みアンカーの半径方向に拡開する部分と両方の第２転向曲げ部との間で貫通する補強鉄筋を形状ロックの力で確実に固定する。
【０００９】
第２転向曲げ部は９０゜と１８０゜との間で曲げ出すことにより、貫通する補強鉄筋を一方の側から半径方向に導入することができて好適である。
【００１０】
脚部には、第２転向曲げ部とクリップフックとの間に、９０゜〜２７０゜にわたる曲げ出し角度の第３転向曲げ部を設けると、挟み付ける状態で、第２転向曲げ部は１８０゜以上にわたり変形し、貫通する補強鉄筋の両側を形状ロックの力で確実に固定することができる。
【００１１】
更に、第３転向曲げ部を第１転向曲げ部に平行にし、また対称平面の方向に曲げると、補強鉄筋は第３転向曲げ部でも密着でき、ワイヤハンガをコンパクトにすることができる。
【００１２】
脚部には、第３転向曲げ部とクリップフックとの間に、第２転向曲げ部に平行な第４転向曲げ部を９０゜〜１８０゜の角度にわたり曲げ出して設けると、第２転向曲げ部の外にも第４転向曲げ部で補強鉄筋を形状ロックの力で固定することができる。
【００１３】
【発明の実施の形態】
次に、図面につき本発明の好適な実施の形態を示す。
【００１４】
図１に示す実施の形態としての第１の実施例では、直径Ｄ、長さＬのワイヤ材料を曲げることにより迅速結合バインダとしてのワイヤハンガ１を構成する。ワイヤハンガ１には、ワイヤ長さＬの中間点からα＝１２０°にわたり直径Ｅよりも僅かに大きい半径Ｐを有する第１転向曲げ部３に、流し込みアンカー２の半径方向に拡大しない直径Ｅを有する部分を、片側から収容する。ワイヤハンガ１の第１転向曲げ部３は、角度二等分平面４に対して鏡対称に延在する２個の脚部５，５′を生じ、これら脚部５，５′から第１転向曲げ部３に対して直交する方向に、流し込みアンカー２の端部側とは反対方向に指向する第２転向曲げ部６，６′を角度β＝３００°にわたり曲げ出し、この第２転向曲げ部６，６′の半径Ｓを、流し込みアンカー２に直交させて配置する補強鉄筋７の直径よりも僅かに大きくする。各脚部５，５′の端部側は、第１転向曲げ部３に直交させるとともに、第２転向曲げ部６，６′に対しても直交させて、二等分平面４の方向に９０°の角度をなすようクリップフック８，８′を曲げ出し、流し込みアンカー２の円錐状に半径方向に拡大する拡開部１０の端部側の半径方向外側端面９にばね負荷が加わるようにする。
【００１５】
【実施例】
図２に示す迅速結合バインダの実施例では、脚部５，５′に、第１転向曲げ部３に対して直交するよう、かつ流し込みアンカー２の端部側の方向に指向して角度β＝１２０°にわたって曲げ出した第２転向曲げ部６，６′を設ける。各脚部５，５′の端部側には、第１転向曲げ部３に直交しかつ第２転向曲げ部６，６′に平行に６０°の角度をなすようクリップフック８，８′を曲げ出し、流し込みアンカー２の円錐状に半径方向に拡大する拡開部１０の端部側の半径方向外側端面９にばね負荷が加わるようにする。
【００１６】
図２に示す迅速結合バインダの実施例では、脚部５，５′のそれぞれに、第１転向曲げ部３に直交しかつ流し込みアンカー２の端部側とは反対方向に角度β＝１８０°にわたり曲げ出した第２転向曲げ部６，６′と、９０°の角度をなすよう曲げたクリップフック８，８′との間に、第１転向曲げ部３に平行でありかつ第２転向曲げ部６，６′に直交するよう角度二等分平面４に向かって角度γ＝１８０°にわたって曲げ出した第３転向曲げ部１１，１１′を設ける。更に、脚部５，５′のそれぞれに、この第３転向曲げ部１１，１１′とクリップフック８，８′との間に第２転向曲げ部６，６′に平行に角度δ＝９０°の角度をなすよう曲げ出した第４転向曲げ部１２，１２′を設ける。
【図面の簡単な説明】
【図１】  本発明迅速結合バインダの好適な実施の形態としての第１の実施例の説明図である。
【図２】  本発明迅速結合バインダの好適な第２の実施例の説明図である。
【図３】  本発明迅速結合バインダの好適な第３の実施例の説明図である。
【符号の説明】
1  ワイヤハンガ
2  流し込みアンカー
3  第１転向曲げ部
4  角度二等分平面
5,5'  脚部
6,6'  第２転向曲げ部
7  補強鉄筋
8,8'  クリップフック
9  半径方向外側端面
10  拡開部
11,11'第３転向曲げ部
12,12'第４転向曲げ部
【図１】
0004288035.tif 000002
【図２】
0004288035.tif 000003
【図３】
0004288035.tif 000004